(57)【要約】      （修正有）【課題】機構を簡単にでき、迅速な溶接作業を行なうことができる溶接ガンのアーム支持機構を提供する。【解決手段】回動軸を備えた支持ブラケット２と、支持ブラケットに連結固定された、溶接ガンの一方を構成する固定側アーム４と、回動軸に回動可能に軸着された、溶接ガンの他方を構成する稼働側アーム５とを具備する。【選択図】        図１
2005169507.tif 000002
【特許請求の範囲】
【請求項１】
回動軸を備えた支持ブラケットと、
前記支持ブラケットに連結固定された、溶接ガンの一方を構成する固定側アームと、
前記回動軸に回動可能に軸着された、溶接ガンの他方を構成する稼働側アームとを具備することを特徴とする溶接ガンのアーム支持機構。
【請求項２】
回動軸を備えた支持ブラケットと、
前記支持ブラケットと一体化された、溶接ガンの一方を構成する固定側アームと、
前記回動軸に回動可能に軸着された、溶接ガンの他方を構成する稼働側アームとを具備することを特徴とする溶接ガンのアーム支持機構。
【請求項３】
前記回動軸は、前記支持ブラケットに設けられた軸受部に支持されることを特徴とする請求項１又は請求項２に記載の溶接ガンのアーム支持機構。
【請求項４】
前記稼働側アームは、前記稼働側アームに設けられた軸着部により前記回動軸に回動可能に軸着されることを特徴とする請求項１乃至請求項３に記載の溶接ガンのアーム支持機構。
【請求項５】
溶接ガンの一方を構成する固定側アームを固定する連結部と、
溶接ガンの他方を構成する稼動側アームに設けられた軸着部を、回動可能に軸着する回動軸を支持する軸受部と、を具備する支持ブラケットによる溶接ガンのアーム支持機構。
【発明の詳細な説明】
【技術分野】
【０００１】  この発明は、溶接ガンの電極を支持するアームを固定側および稼働側の一対で構成し、かつ稼働側アームを効率的に稼働するための溶接ガンのアーム支持機構に関するものである。
【背景技術】
【０００２】  近年、溶接ロボットに取り付けて電極を支持するようにした溶接ガンのアームとしては、図３および図４に示すように、支持ブラケット２１の先端に設けた軸受部２２に一対のアーム２３，２４を回動軸２５を介して回動可能に取り付け、アーム２３，２４の回動軸２５を通り越した反対側の端部の間に連結した加圧シリンダ２６やサーボモータ等で、上記一対のアーム２３，２４を稼働し、この一対のアーム２３，２４先端の電極２７，２８でワークを両側から加圧するようにしたものが一般的であった。
【発明の開示】
【発明が解決しようとする課題】
【０００３】  しかしながら、これら従来の溶接ガンのアーム支持機構は機構が複雑で、設備費が高価であるばかりでなく、日常の点検、維持管理等にも時間と費用が多くかかってしまうという欠点があった。【０００４】  しかも、近年の溶接ロボットの機能の向上に伴い、ロボットを操作して一方のアームの電極を予めワークに当接した状態としておき、次いで他方のアームの電極を駆動してワークを挟み付けるようにしても、溶接作業には何ら不都合がないことが判明した。【０００５】  この発明は従来例の上記欠点を解消しようとするもので、一方のアームを支持ブラケットと一体化して連結固定しておき、他方のアームを稼働してそれぞれの電極でワークを挟み付けるようにしたものであり、機構を非常に簡単にすることができ、かつ迅速な溶接作業を行なうことができる溶接ガンのアーム支持機構を提供しようとするものである。
【課題を解決するための手段】
【０００６】  すなわちこの発明の溶接ガンのアーム支持機構は、回動軸を備えた支持ブラケットと、前記支持ブラケットに連結固定された、溶接ガンの一方を構成する固定側アームと、前記回動軸に回動可能に軸着された、溶接ガンの他方を構成する稼働側アームとを具備することを特徴とするものである。【０００７】  また、この発明の溶接ガンのアーム支持機構は、回動軸を備えた支持ブラケットと、前記支持ブラケットと一体化された、溶接ガンの一方を構成する固定側アームと、前記回動軸に回動可能に軸着された、溶接ガンの他方を構成する稼働側アームとを具備することを特徴とするものである。【０００８】  さらに、この発明の溶接ガンのアーム支持機構は、前記回動軸が前記支持ブラケットに設けられた軸受部に支持されることを特徴とするものである。【０００９】  またさらに、この発明の溶接ガンのアーム支持機構は、前記稼働側アームが前記稼働側アームに設けられた軸着部により前記回動軸に回動可能に軸着されることを特徴とするものである。【００１０】  なおまた、この発明の溶接ガンのアーム支持機構は、溶接ガンの一方を構成する固定側アームを固定する連結部と、溶接ガンの他方を構成する稼動側アームに設けられた軸着部を、回動可能に軸着する回動軸を支持する軸受部とを具備する支持ブラケットである。
【発明の効果】
【００１１】  すなわち、この発明によれば、一方のアームを支持ブラケットと一体化して連結固定し、他方のアームを支持ブラケットに設けられた軸受部に支持された回動軸を介して回動自在に稼働して、ワークを各々のアームに取り付けられた電極で挟み付けるようにしたので、ワークを両側から加圧する機構が非常に簡単になり、かつ制御が簡単で迅速な溶接作業を行なうことの可能な溶接ガンのアーム支持機構を提供することができるようになった。
【発明を実施するための最良の形態】
【００１２】  以下、この発明の溶接ガンのアーム支持機構の実施の形態を、図面に基いて詳細に説明する。図１と図２はこの発明の溶接ガンのアーム支持機構の１実施例を示すそれぞれ概略側面図および要部断面図である。【００１３】  図１および図２において、１は溶接ガンで、種々の溶接ロボットに主要な溶接部品として取り付けられるものである。この溶接ガン１は、回動軸３を備えた支持ブラケット２と、この支持ブラケット２と一体化させた固定側アーム４と、上記支持ブラケット２に上記回動軸３を介して回動可能に軸着した稼働側アーム５とを備えている。なお６は固定側アーム４の先端に取り付けた電極、７は稼働側アーム５の先端に取り付けた電極、８は支持ブラケット２と稼働側アーム５との間を連結して稼働側アーム５を稼働する駆動ユニットである。【００１４】  すなわち、上記支持ブラケット２の端部には、下向きに回動軸３の軸受部９が垂設されている。そして上記固定側アーム４は支持ブラケット２に、回動軸３側の上端部分を延長するように連結部１８で連結固定されている。そして上記支持ブラケット２の軸受部９には、上記回動軸３を介して稼働側アーム５が回動可能に軸着されているのである。１０は稼働側アーム５の適所に立設した軸着部で、軸着部１０が上記回動軸３と連結されている。【００１５】  詳細には、図２のように、上記固定側アーム４から垂設された２つの軸受部９に上記回動軸３が架け渡されて支持され、また、上記稼働側アーム５に備えられた軸着部１０が上記回動軸３の軸周りを取り囲むように軸着されている。この状態で駆動ユニット８を駆動すると、上記軸受部９と上記回動軸３との摺動や上記回動軸３と上記軸着部１０との摺動により、上記稼動側アーム５が稼動することになる。【００１６】  上記固定側アーム４の回動軸３を挟んで電極６と反対の側には、連結アーム１１が延長して形成されており、稼働側アーム５の回動軸３を挟んで電極７と反対の側にも連結アーム１２が延長して形成されている。そして駆動ユニット８は各連結アーム１１，１２間を連結している。【００１７】  上記駆動ユニット８は、ボールネジ１３を筒状カバー１４内に内蔵させたものであり、このボールネジ１３上にはその長さ方向に沿ってボールネジナット１５がスライド可能に取り付けられている。そして、ギア等を介して連結したサーボモータ１６でボールネジ１３を駆動し、ボールネジナット１５を進退させて稼働側アーム５を稼働するようになっている。なお１７はボールネジ１３端部の保護カバーである。【００１８】  以上のように構成されたアーム支持機構を備えた溶接ガンにおいて、ロボットアームにより固定側アーム４の電極６をワークの一面に当接した状態で、サーボモータを介してボールネジ１３により稼働側アーム５の電極７を駆動して、加圧溶接を行なうものである。【００１９】  したがって、固定側アーム４の電極６の位置決めは溶接ロボット側の制御で行ない得るようになり、溶接ガン１全体としては、稼働側アーム５の稼働状態や電極７の位置決めのみを制御するだけであるので、非常に機構が簡単で、したがって非常に制御しやすくなった。
【図面の簡単な説明】
【００２０】
【図１】この発明の溶接ガンのアーム支持機構の一実施例を示す概略側面図である。
【図２】その要部断面図である。
【図３】従来のサーボモータ駆動式溶接ガンのアーム支持機構の例を示す概略側面図である。
【図４】その要部断面図である。
【符号の説明】
【００２１】１  溶接ガン
２  支持ブラケット
３  回動軸
４  固定側アーム
５  稼働側アーム
６，７    電極
８  駆動ユニット
９  軸受部
１０  軸着部
１１，１２  連結アーム
１３  ボールネジ
１４  筒状カバー
１５  ボールネジナット
１６  サーボモータ
１７  保護カバー
１８  連結部
【図１】
2005169507.tif 000003
【図２】
2005169507.tif 000004
【図３】
2005169507.tif 000005
【図４】
2005169507.tif 000006